(57)【要約】【課題】長時間開放された場合の消費電力を低減する。【解決手段】露光面を開放させる開放位置と遮蔽する遮蔽位置との間を移動する後幕と、チャージ位置にあるチャージ状態の場合は後幕を開放位置に移動させ、該チャージ位置から解放された解放状態の場合には後幕を遮蔽位置に移動させる後幕駆動部材と、後幕が開放位置から遮蔽位置へ移動する方向に後幕駆動部材を付勢する後幕駆動付勢部と、後幕駆動部材を、後幕駆動付勢部の付勢力に抗して、チャージ位置に保持する後幕電磁ラッチと、後幕駆動部材に機械的に係合して、後幕駆動付勢部の付勢力に抗して後幕駆動部材をチャージ位置に保持するメカニカルラッチと、露光面の露光時間が所与の閾値時間を越える長時間開放モードが設定された場合に、後幕駆動部材をメカニカルラッチによりチャージ位置に係止し、後幕電磁ラッチによるチャージ状態を解放する制御部とを備える。【選択図】図５
2010197866.tif 000002
【特許請求の範囲】
【請求項１】
入射光に対して露光面を開放させる開放位置と、前記露光面を入射光に対して遮蔽する遮蔽位置との間を移動する後幕と、
チャージ位置にチャージされたチャージ状態の場合には前記後幕を前記開放位置に移動させ、該チャージ位置から解放された解放状態の場合には前記後幕を前記遮蔽位置に移動させる後幕駆動部材と、
前記後幕が前記開放位置から前記遮蔽位置へ移動する方向に前記後幕駆動部材を付勢する後幕駆動付勢部と、
前記後幕駆動部材を、前記後幕駆動付勢部の付勢力に抗して、前記チャージ位置に保持する後幕電磁ラッチと、
前記後幕駆動部材に機械的に係合して、前記後幕駆動付勢部の付勢力に抗して前記後幕駆動部材を前記チャージ位置に保持するメカニカルラッチと、
前記露光面の露光時間が所与の閾値時間を越える長時間開放モードが設定された場合に、前記後幕駆動部材を前記メカニカルラッチにより前記チャージ位置に係止し、且つ、前記後幕電磁ラッチによる前記チャージ状態を解放する制御部と
を備えることを特徴とするシャッタ装置。
【請求項２】
前記後幕駆動部材は、
前記チャージ位置に保持されているときには前記後幕電磁ラッチにより直接保持される後幕駆動レバーと、
前記チャージ状態と前記解放状態との間で前記後幕駆動レバーに追従動作可能であり、前記チャージ位置に保持されるときには前記メカニカルラッチにより保持される後幕駆動アームとを含み、
前記制御部は、
前記長時間開放モードが設定されると、前記メカニカルラッチによる前記後幕駆動アームの前記チャージ位置での係止は維持したままで、前記後幕電磁ラッチによるラッチ状態を解放して前記後幕駆動付勢部の付勢力による前記後幕駆動レバーの駆動を許容することを特徴とする請求項１に記載のシャッタ装置。
【請求項３】
前記後幕駆動付勢部は、
前記後幕駆動レバーに係止され、前記後幕電磁ラッチによるラッチ状態が解放されると該後幕駆動レバーを駆動せしめるレバー駆動用バネと、
前記後幕駆動レバーと前記後幕駆動アームとの間に懸架され、前記後幕駆動レバーの動作に追従して前記後幕駆動アームを駆動せしめるアーム駆動用バネと、を含み、
前記後幕駆動アームは、前記メカニカルラッチによる前記チャージ位置での保持状態が解放されると、前記アーム駆動用バネの付勢力により駆動されて、前記後幕を前記開放位置に移動せしめることを特徴とする請求項２に記載のシャッタ装置。
【請求項４】
前記メカニカルラッチは、前記後幕駆動部材を、前記後幕が開放する位置に向かって常時付勢するラッチ用付勢部を有することを特徴とする請求項１から請求項３までの何れかに記載のシャッタ装置。
【請求項５】
前記制御部は、
前記メカニカルラッチが前記後幕駆動部材を係止する場合に、前記後幕駆動部材を、前記後幕電磁ラッチにより保持した状態で前記メカニカルラッチを前記後幕駆動部材に係合させ、次いで、前記後幕電磁ラッチを開放する、ことを特徴とする請求項１から請求項４までの何れか記載のシャッタ装置。
【請求項６】
前記メカニカルラッチは、前記後幕駆動部材に係合してから当該係合を解くまでの間、前記後幕駆動部材を前記開放位置に移動させる駆動力の一部により自律的に係合を維持する形状を有することを特徴とする請求項１から請求項５までの何れかに記載のシャッタ装置。
【請求項７】
前記露光面はイメージセンサの受光面であり、
前記制御部は、前記イメージセンサが撮影した動画を記録すべき旨の指示を受けた場合に、または、前記イメージセンサを用いて撮像対象を表示部に連続的に表示すべき旨の指示を受けた場合に、前記長時間開放モードが設定されたと判断することを特徴とする請求項１から請求項６までの何れかに記載のシャッタ装置。
【請求項８】
前記制御部は、ユーザが指定するまで前記露光面を開放し続けるべき旨の指示を受けた場合に前記長時間開放モードが設定されたと判断することを特徴とする請求項１から請求項７までの何れかに記載のシャッタ装置。
【請求項９】
前記制御部は、前記露光面を掃除すべく前記露光面を開放し続けるべき旨の指示を受けた場合に前記長時間開放モードが指示されたと判断することを特徴とする請求項１から請求項８までの何れかに記載のシャッタ装置。
【請求項１０】
前記制御部は、
前記長時間開放モードと異なる動作モードが指定された場合に、前記後幕電磁ラッチにより前記後幕駆動部材を前記チャージされた位置に保持し続け、且つ前記メカニカルラッチを前記後幕駆動部材に係止させないことを特徴とする請求項１から請求項９までの何れかに記載のシャッタ装置。
【請求項１１】
請求項１から請求項１０までの何れかに記載されたシャッタ装置と、
前記露光面に配されたイメージセンサと
を備えることを特徴とする撮像装置。
【発明の詳細な説明】
【技術分野】
【０００１】
本発明は、シャッタ装置および撮像装置に関する。
【背景技術】
【０００２】
フォーカルプレーンシャッタ（以下、単に「シャッタ」と記載する）は、先幕および後幕を個別のタイミングで開閉させることにより露光面を入射光に暴露する。即ち、露光に先立ってシャッタをチャージすると、先幕は露光面を遮蔽する遮蔽位置へ、後幕は露光面を開放する開放位置へそれぞれ移動する。
【０００３】
シャッタがレリーズされると、まず、先幕が開放位置に向かって移動して露光面を暴露する。次いで、後幕が遮蔽位置へ向かって移動して露光面を遮蔽する。先幕による解放から後幕による遮蔽までの間隔が、露光面の露光時間となる。
【０００４】
下記の特許文献１には、チャージされた先幕および後幕をそれぞれ電磁石により保持して、レリーズされた場合に、電磁石の磁力を消すことにより先幕および後幕を順次解放してシャッタを動作させる構造が記載される。また、下記の特許文献２には、電力を消費する電磁石を用いることなく、機械的に先幕および後幕を順次解放する機構が記載される。
【先行技術文献】
【特許文献】
【０００５】
【特許文献１】特開２００６−３３７０５号公報
【特許文献２】特開２００８−５３８４４号公報
【発明の概要】
【発明が解決しようとする課題】
【０００６】
撮像装置においては、露光面を露光する時間が長時間におよぶ場合がある。このような場合、特許文献１に記載された構造では、後幕を開放位置に長時間保持することになるので、後幕を保持する電磁石の磁力を維持し続けなければならない。このため、シャッタにおける電力消費が大きくなる。また、特許文献２に記載の構造は、先幕および後幕の駆動機構の構造が大幅に異なるので、既存の撮像装置に組み込むことが難しい。
【課題を解決するための手段】
【０００７】
上記課題を解決すべく、本発明の第１の態様として、入射光に対して露光面（１２０）を開放させる開放位置と、露光面を入射光に対して遮蔽する遮蔽位置との間を移動する後幕（２１０）と、チャージ位置にチャージされたチャージ状態の場合には後幕を開放位置に移動させ、該チャージ位置から解放された解放状態の場合には後幕を遮蔽位置に移動させる後幕駆動部材（２２０）と、後幕が開放位置から遮蔽位置へ移動する方向に後幕駆動部材を付勢する後幕駆動付勢部（２３０）と、後幕駆動部材を、後幕駆動付勢部の付勢力に抗して、チャージ位置に保持する後幕電磁ラッチ（２０１）と、後幕駆動部材に機械的に係合して、後幕駆動付勢部の付勢力に抗して後幕駆動部材をチャージ位置に保持するメカニカルラッチ（２７０）と、露光面の露光時間が所与の閾値時間を越える長時間開放モードが設定された場合に、後幕駆動部材をメカニカルラッチによりチャージ位置に係止し、且つ、後幕電磁ラッチによるチャージ状態を解放する制御部（５５０）とを備えるシャッタ装置（１００）が提供される。
【０００８】
また、本発明の第２の態様として、上記シャッタ装置（１００）と、露光面に配されたイメージセンサ（５００）とを備える撮像装置（４００）が提供される。
【０００９】
なお、上記の発明の概要は、本発明の必要な特徴の全てを列挙したものではない。また、これらの特徴群のサブコンビネーションもまた、発明となりうる。
【図面の簡単な説明】
【００１０】
【図１】デジタルカメラ４００の構造を模式的に示す断面図である。
【図２】チャージされたシャッタユニット１００を示す正面図である。
【図３】レリーズされた場合の先幕ユニット３００の動作を示す図である。
【図４】レリーズされた場合の後幕ユニット２００の動作を示す図である。
【図５】レリーズされた場合の、後幕ユニット２００の他の動作を示す図である。
【図６】後幕ユニット２００の一部の構造を示形状を示す図である。
【図７】メカニカルラッチ２７０の詳細な形状を示す図である。
【図８】シャッタユニット１００の動作シーケンスを示す流れ図である。
【図９】デジタルカメラ４００の動作シーケンスを示すダイヤグラムである。
【図１０】シャッタユニット１００の他の動作シーケンスを示す流れ図である。
【図１１】デジタルカメラ４００の他の動作シーケンスを示すダイヤグラムである。
【図１２】シャッタユニット１００のまた他の動作シーケンスを示す流れ図である。
【図１３】シャッタユニット１００の更に他の動作シーケンスを示す流れ図である。
【図１４】シャッタユニット１００の更に他の動作シーケンスを示す流れ図である。
【発明を実施するための形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１２】
図１は、シャッタユニット１００を備えたデジタルカメラ４００全体の構造を模式的に示す断面図である。デジタルカメラ４００は、レンズユニット４１０およびカメラボディ４６０を含む。レンズユニット４１０は、レンズマウント４５０を介して、カメラボディ４６０に対して着脱自在に装着される。
【００１３】
レンズユニット４１０は、光学部材４２０と、光学部材４２０を収容する鏡筒４３０とを有する。光学部材４２０は、図中で左側にあたる入射端から鏡筒４３０内に順次配列された、フロントレンズ４２２、コンペンセータレンズ４２４、フォーカシングレンズ４２６およびメインレンズ４２８を含む。
【００１４】
光学部材４２０は、フォーカシングレンズ４２６およびメインレンズ４２８の間に配された絞りユニット４４０、防振ユニット等も含む。これら光学部材４２０が形成する光学系は、焦点距離、合焦位置等を調整することができ、撮像対象の画像をカメラボディ４６０の内部に結像させる。
【００１５】
また、レンズユニット４１０は、上記光学部材４２０の他に、モータ、制御回路、通信回路等の非光学的な部材を含む場合がある。これらの非光学的な要素は、光軸方向について鏡筒４３０の中程にあって相対的に小径なフォーカシングレンズ４２６の周囲に配置されてもよい。これにより、鏡筒４３０の径を拡大することなく、レンズユニット４１０の機能を高めることができる。
【００１６】
カメラボディ４６０は、メインミラー５４０、ペンタプリズム４７０、ファインダ４９０を含む光学系を有する。メインミラー５４０は、レンズユニット４１０を介して入射した入射光の光路上に傾斜して配置される待機位置と、入射光の光路を避けて上昇する撮影位置（図中に点線で示す）との間を移動する。
【００１７】
メインミラー５４０が待機位置にある場合、入射光の大半は、メインミラー５４０の上方に配されたフォーカシングスクリーン４７２に導かれる。フォーカシングスクリーン４７２に形成された画像は、ペンタプリズム４７０を介してファインダ４９０から正像として観察される。
【００１８】
また、ペンタプリズム４７０に対する入射光の一部は、測光ユニット４８０に導かれる。測光ユニット４８０は、入射光の強度および強度分布等を測定する。
【００１９】
更に、ペンタプリズム４７０およびファインダ４９０の間にハーフミラー４９２が配される。ハーフミラー４９２は、ファインダ液晶４９４に形成された表示画像を、フォーカシングスクリーン４７２の映像に合成してファインダ４９０から観察させる。
【００２０】
また、待機位置にあるメインミラー５４０は、入射光の入射面に対する裏面に、メインミラー５４０とは異なる角度で傾斜したサブミラー５４２を有する。サブミラー５４２は、メインミラー５４０を透過した入射光の一部を、下方に配置された測距ユニット５３０に導く。
【００２１】
これにより、メインミラー５４０が待機位置にある場合は、測距ユニット５３０が被写体までの距離を測定して、レンズユニット４１０の合焦に寄与する。メインミラー５４０が撮影位置に退避した場合は、サブミラー５４２も入射光の光路から退避する。
【００２２】
入射光の入射方向に沿ってメインミラー５４０の後方には、シャッタユニット１００、ローパスフィルタ５１０およびイメージセンサ５００が順次配置される。シャッタユニット１００が開放される場合は、それに先立ってメインミラー５４０が撮影位置に退避するので、入射光は直進してイメージセンサ５００に入射する。これにより、露光されたイメージセンサ５００が、入射光の形成する画像を電気信号に変換する。
【００２３】
カメラボディ４６０は、制御部５５０、電源等の非光学的な部材を、上記光学系の光路をはずれた位置に更に備える。制御部５５０は、カメラボディ４６０側の測距ユニット５３０が検出した被写体までの距離、露出等の情報を参照して、合焦機構、露出機構等を動作させる。
【００２４】
また、制御部５５０は、カメラボディ４６０内部の各部の動作を制御するにとどまらず、レンズマウント４５０を介して電気信号を送受信することにより、レンズユニット４１０の動作にも関与する。更に、カメラボディ４６０に付加的に装着された閃光装置等との通信並びにこれらの制御にも与る。
【００２５】
カメラボディ４６０は、レンズユニット４１０が装着された側に対して裏面側に、液晶ディスプレイ４９６を更に備える。液晶ディスプレイ４９６は、カメラボディ４６０の各種設定状態、撮影状態等を表示する。また、電池の放電、動作不良等が生じた場合には、警告等も表示する。更に、後述するライブビューモードでは、被写界の映像をリアルタイムで表示して、ファインダ４９０に換えて利用することもできる。
【００２６】
なお、デジタルカメラ４００を例に挙げて説明したが、以下に説明するシャッタユニット１００の実装は、撮像素子を用いたカメラに限られるわけではない。例えば、銀塩フィルムを用いたアナログカメラ等にも用いることができる。
【００２７】
図２は、シャッタユニット１００を単独で示す模式的な正面図である。この図では、シャッタユニット１００がチャージされた状態が示される。シャッタユニット１００は、シャッタ基板１１０および駆動部基板１３０を含む。
【００２８】
シャッタ基板１１０は、開口であるアパーチャ１２０を有して露光領域を画成する。駆動部基板１３０は、後幕ユニット２００および先幕ユニット３００を支持する。
【００２９】
後幕ユニット２００は、後幕電磁ラッチ２０１、遮光羽根２１０、後幕駆動アーム２２０、アーム駆動バネ２３０、後幕駆動レバー２４０、段付きボルト２５０およびレバー駆動バネ２６０を含む。
【００３０】
後幕ユニット２００において、後幕電磁ラッチ２０１は、駆動部基板１３０に対して固定される。これに対して、後幕駆動アーム２２０、アーム駆動バネ２３０および後幕駆動レバー２４０は、段付きボルト２５０を共通の軸として、駆動部基板１３０から軸支される。
【００３１】
後幕駆動アーム２２０は、一端を段付きボルト２５０に軸支され、他端において遮光羽根２１０を懸架する。遮光羽根２１０は、後幕駆動アーム２２０の回動に従って、アパーチャ１２０の長辺に対する平行を保ったまま昇降する。図示の状態では、遮光羽根２１０はアパーチャ１２０よりも上方まで移動している。このように、チャージされたシャッタユニット１００において、後幕ユニット２００の遮光羽根２１０は、アパーチャ１２０を開放する開放位置にある。
【００３２】
アーム駆動バネ２３０は、一端を後幕駆動アーム２２０に係合され、他端を駆動部基板１３０に係合される。これにより、チャージされたシャッタユニット１００において、アーム駆動バネ２３０は、遮光羽根２１０がアパーチャ１２０の前を降下する方向に、後幕駆動アーム２２０を付勢する。
【００３３】
後幕駆動レバー２４０は、磁性体材料により形成された吸着部２４４を有して、段付きボルト２５０を軸として、略水平な位置と略垂直な位置との間を回動する。シャッタユニット１００のチャージにより水平位置から垂直位置に向かって回動する後幕駆動レバー２４０は、後幕駆動アーム２２０を押し上げて、遮光羽根２１０を上方の開放位置に移動させる。
【００３４】
後幕電磁ラッチ２０１は、外部から電流を供給された場合に磁力を発生する。磁力を発生した後幕電磁ラッチ２０１は、後幕駆動レバー２４０が図示のように略垂直に起立した場合に、吸着部２４４を吸着して後幕駆動レバー２４０を係止する。これにより、後幕ユニット２００は開放状態を保持する。
【００３５】
レバー駆動バネ２６０は、後幕駆動レバー２４０および段付きボルト２５０の間に掛け渡されて、略水平な位置に戻る方向に後幕駆動レバー２４０を付勢する。これにより、後幕電磁ラッチ２０１による係止から解放された場合、後幕駆動レバー２４０は、略水平になる位置に戻る。
【００３６】
なお、後幕ユニット２００は、後幕駆動アーム２２０の長手方向中程に設けられた係止ピン２２８と、駆動部基板１３０から軸支されたメカニカルラッチ２７０とを更に備える。これらの要素については、図５以降を参照して後述する。
【００３７】
先幕ユニット３００は、先幕電磁ラッチ３０１、遮光羽根３１０、３１２、先幕駆動アーム３２０、アーム駆動バネ３３０、先幕駆動レバー３４０および段付きボルト３５０を含む。
【００３８】
先幕ユニット３００において、先幕電磁ラッチ３０１は、駆動部基板１３０に対して固定される。これに対して、先幕駆動アーム３２０、アーム駆動バネ３３０および先幕駆動レバー３４０は、段付きボルト３５０を共通の軸として、駆動部基板１３０から軸支される。
【００３９】
先幕駆動アーム３２０は、一端を段付きボルト３５０に軸支され、他端において遮光羽根３１０、３１２を懸架する。遮光羽根３１０、３１２は、先幕駆動アーム３２０の回動に従って、アパーチャ１２０の長辺に対する平行を保ったまま昇降する。図示の状態では、遮光羽根３１０の上縁がアパーチャ１２０の上方まで上昇している。
【００４０】
また、先頭の遮光羽根３１０に続いて、複数の遮光羽根３１２が順次上昇している。このように、チャージされたシャッタユニット１００において、先幕ユニット３００の遮光羽根３１０、３１２は、アパーチャ１２０を遮蔽する遮蔽位置にある。なお、先頭以外の遮光羽根３１２も個別にアームにより懸架されているが、図面を簡明する目的で図示は省いた。
【００４１】
アーム駆動バネ３３０は、一端を先幕駆動アーム３２０に係合され、他端を駆動部基板１３０に係合される。これにより、チャージされたシャッタユニット１００において、アーム駆動バネ３３０は、遮光羽根３１０、３１２がアパーチャ１２０の前の降下する方向に、先幕駆動アーム３２０を付勢する。
【００４２】
先幕駆動レバー３４０は、シャッタユニット１００のチャージにより、先幕駆動アーム３２０と共に回動して起立する。また、先幕駆動レバー３４０は、磁性体材料により形成された吸着部３４４を有する。
【００４３】
シャッタユニット１００がチャージされた場合、先幕駆動レバー３４０は略水平な位置から略垂直な位置に向かって回動する。これと共に、先幕駆動アーム３２０も起立して、遮光羽根３１０、３１２を上方の遮蔽位置に移動させる。
【００４４】
先幕電磁ラッチ３０１は、外部から電流を供給された場合に磁力を発生する。磁力を発生した先幕電磁ラッチ３０１は、先幕駆動レバー３４０が図示のように略垂直に起立した場合に、吸着部３４４を吸着して、先幕駆動レバー３４０を係止する。これにより、先幕ユニット３００は遮蔽状態を保持する。
【００４５】
図３は、シャッタユニット１００がレリーズされた場合の、先幕ユニット３００の動作を示す図である。なお、図３において、図２と共通の要素には同じ参照番号を付して重複する説明を省く。
【００４６】
図示の状態においては、先幕ユニット３００の先幕電磁ラッチ３０１が磁力の発生を停止している。これにより、吸着部３４４が解放されて、先幕駆動レバー３４０は回転自在な状態となる。従って、先幕駆動レバー３４０により係止されていた先幕駆動アーム３２０は、アーム駆動バネ３３０により駆動されて、段付きボルト３５０を軸として回動する。
【００４７】
先幕駆動アーム３２０の回動に伴って、先頭の遮光羽根３１０は、アパーチャ１２０よりも下方の開放位置まで移動する。また、先幕ユニット３００の他の遮光羽根３１２も開放位置まで移動して、遮光羽根３１０と重なりあった状態になる。
【００４８】
一方、後幕電磁ラッチ２０１は磁力を発生し続けており、遮光羽根２１０はアパーチャ１２０上方の開放位置に保持されている。従って、アパーチャ１２０が開放され、アパーチャ１２０の後方に配置されたイメージセンサ５００が露光される。
【００４９】
図４は、シャッタユニット１００がレリーズされた場合の後幕ユニット２００の動作を示す図である。なお、図４において、図２および図３と共通の要素には同じ参照番号を付して重複する説明を省く。
【００５０】
図示の状態においては、後幕電磁ラッチ２０１が磁力の発生を停止する。これにより、吸着部２４４が解放されて、後幕駆動レバー２４０は回転自在な状態となる。従って、後幕駆動レバー２４０により係止されていた後幕駆動アーム２２０は、アーム駆動バネ２３０により駆動されて、段付きボルト２５０を軸として回動する。
【００５１】
後幕駆動アーム２２０の回動に伴って、遮光羽根２１０が、アパーチャ１２０の下端を通り過ぎる遮蔽位置まで移動する。また、開放位置では遮光羽根２１０に重なっていた他の遮光羽根２１２が先頭の遮光羽根２１０に連なり、アパーチャ１２０が遮蔽される。
【００５２】
こうして、露光されていたイメージセンサ５００は、後幕ユニット２００の遮光羽根２１０、２１２により遮蔽される。なお、先頭の遮光羽根２１０以外の遮光羽根２１２も、個別にアームにより懸架されている。しかしながら、図面を簡明する目的で図示は省いた。
【００５３】
図５は、シャッタユニット１００におけるメカニカルラッチ２７０の動作を示す図である。図５においても、図２、図３および図４と共通の要素には同じ参照番号を付して重複する説明を省く。
【００５４】
図示の状態において、シャッタユニット１００は、図３に示した状態と同様に、全ての遮光羽根２１０、２１２、３１０、３１２が開放位置に位置して、アパーチャ１２０を開放している。即ち、先幕ユニット３００の遮光羽根３１０、３１２は、アパーチャ１２０よりも下方まで降下している。一方、後幕ユニット２００の遮光羽根２１０は、アパーチャ１２０よりも上方に係止されている。
【００５５】
ただし、この状態では、先幕電磁ラッチ３０１に加えて、後幕電磁ラッチ２０１も磁力を発生していない。このため、後幕駆動レバー２４０は、レバー駆動バネ２６０の付勢により略水平な位置に回動する。
【００５６】
一方、後幕駆動アーム２２０は、メカニカルラッチ２７０により係止されて、遮光羽根２１０を開放位置に保持する。即ち、メカニカルラッチ２７０は、ラッチ軸２７２を軸に回動して、後幕駆動アーム２２０に設けられた係止ピン２２８を係止している。これにより、アーム駆動バネ２３０の付勢に抗して、後幕駆動アーム２２０は上昇した状態を保持される。
【００５７】
このように、シャッタユニット１００は、後幕電磁ラッチ２０１に通電することなく、遮光羽根２１０、２１２を開放位置に保持することができる。従って、電力を消耗することなく、アパーチャ１２０の解放状態を維持できる。
【００５８】
なお、シャッタユニット１００においては、後幕ユニット２００と先幕ユニット３００とが、互いに異なる構造を有する。一方、シャッタ装置においては一般に、後幕ユニット２００の遮光羽根２１０、２１２と先幕ユニット３００の遮光羽根３１０、３１２とで、幕速等のバランスがとれていることが好ましい。そこで、シャッタバランスをとりやすくする目的で、先幕ユニット３００の構造を、あえて後幕ユニット２００と同じ構造とすることもできる。これにより、後幕および先幕の動作条件を労さずして揃えられる。
【００５９】
図６は、後幕ユニット２００の一部の構造を示す分解斜視図である。同図には、段付きボルト２５０に関連する、後幕駆動アーム２２０、アーム駆動バネ２３０、後幕駆動レバー２４０、段付きボルト２５０およびレバー駆動バネ２６０が示される。
【００６０】
段付きボルト２５０は、フランジ部２５２、大径軸部２５４、小径軸部２５６およびネジ部２５８を共通の軸上に順次配列した形状を有する。後幕駆動アーム２２０は、下端近傍に形成された軸穴２２４に、段付きボルト２５０の小径軸部２５６を挿通される。これにより、後幕駆動アーム２２０は、段付きボルト２５０を軸として回動する。後幕駆動アーム２２０の上端近傍に形成された連結穴２２２は遮光羽根２１０に結合される。
【００６１】
アーム駆動バネ２３０は、コイル部２３２と、コイル部２３２から外方に向かって延在する駆動端２３４および固定端２３６を有する。コイル部２３２には、段付きボルト２５０の大径軸部２５４が挿通される。
【００６２】
駆動端２３４は、後幕駆動アーム２２０のバネ受け２２６に係合する。固定端２３６は、図２から図５までに示した駆動部基板１３０のバネ受けに係合する。この状態で、アーム駆動バネ２３０は、後幕駆動アーム２２０を降下した位置に向かって付勢する。
【００６３】
後幕駆動レバー２４０は、軸穴２４２、吸着部２４４、レバー本体２４６および係合板２４８を有する。軸穴２４２は、段付きボルト２５０の大径軸部２５４を挿通し得る外径を有する。また、段付きボルト２５０のフランジ部２５２は、軸穴２４２よりも大きな外径を有する。これにより、大径軸部２５４を軸穴２４２に挿通した場合、後幕駆動レバー２４０は、段付きボルト２５０の軸方向に脱落することなく回動自在に軸支される。
【００６４】
バネ受け２４１はレバー駆動バネ２６０の駆動端２６２と係合する。レバー駆動バネ２６０の固定端２６４は、段付きボルト２５０のフランジ部２５２に形成されたバネ受け２５１に係合する。これにより、後幕駆動レバー２４０を略水平な位置に戻すレバー駆動バネ２６０の付勢力がレバー本体２４６に伝えられる。
【００６５】
係合板２４８は、レバー本体２４６の下端近傍から、レバー本体２４６に対して直交して突出する。これにより、後幕駆動レバー２４０が略水平な位置から略垂直な位置へ回動する場合は、係合板２４８が側面に当接して、後幕駆動アーム２２０を共に回動させる。
【００６６】
吸着部２４４は磁性体により形成され、板状のレバー本体２４６と直交した吸着面を有する。後幕駆動レバー２４０が起立した状態で後幕電磁ラッチ２０１が磁力を発生した場合、吸着部２４４が後幕電磁ラッチに吸着され、後幕駆動アーム２２０を起立した状態に保持する。これにより、遮光羽根２１０、２１２も開放位置に保持される。
【００６７】
一方、後幕駆動アーム２２０および後幕駆動レバー２４０が略直立した位置から、後幕駆動レバー２４０が略水平になる位置に向かって回動する場合は、後幕駆動アーム２２０を略垂直な位置に残したまま、後幕駆動レバー２４０を略水平な位置に向かって回動させることができる。
【００６８】
後幕駆動アーム２２０は、その長手方向中程に、係止ピン２２８を有する。これにより、後幕駆動アーム２２０は、後幕電磁ラッチ２０１による係止から解放された場合でも、メカニカルラッチ２７０により遮蔽位置に係止される場合がある。
【００６９】
図７は、メカニカルラッチ２７０の形状を詳細に示す図である。メカニカルラッチ２７０は、ラッチ軸２７２を介して駆動部基板１３０から軸支され、ラッチ軸２７２の回りで回転する。
【００７０】
メカニカルラッチ２７０は、嵌合部２７１を一端（図中で右側）に有する。嵌合部２７１は、メカニカルラッチ２７０が図上で時計回りに回動した場合に、後幕駆動アーム２２０の係止ピン２２８に係合する。
【００７１】
ここで、嵌合部２７１の先端部２７８は、嵌合部２７１の係止ピン２２８に対する接線よりも後方（ラッチ軸２７２寄り）まで延在する。これにより、いったん係合したメカニカルラッチ２７０は、積極的に回転されない限り、係止ピン２２８に自律的に係合し続ける。なお、メカニカルラッチ２７０を解放する場合は、何らかの駆動部材により、作動レバー２７６を図中の矢印Ｒの方向に押せばよい。
【００７２】
回転して係止ピン２２８を解放したメカニカルラッチ２７０は、ラッチ軸２７２に対して嵌合部２７１と反対側でストッパ２７４に当接することにより、過剰な回転を防止される。これにより、メカニカルラッチ２７０が次に係止ピン２２８に係合する場合は、最小限の回転で有効になる。
【００７３】
図８は、シャッタユニット１００の動作シーケンスを示す流れ図である。なお、シャッタユニット１００の動作は、デジタルカメラ４００の制御部５５０により制御されるものとする。
【００７４】
デジタルカメラ４００の電源が投入されて各部の初期化が終わると、制御部５５０は、デジタルカメラ４００に特定の動作モードが設定されていないかどうかを調べる（Ｓ１０１）。設定された動作モードがある場合（Ｓ１０１：ＮＯ）は、それぞれの動作モードに応じた制御手順に移行する（※１）。
【００７５】
一方、特に設定された動作モードがない場合は、デフォルトの撮影モードになり（Ｓ１０１：ＹＥＳ）、いったん待機状態となる（Ｓ１０２：ＮＯ）。この状態で、ユーザによりデジタルカメラ４００のレリーズボタンが押された場合（Ｓ１０２：ＹＥＳ）、制御部５５０は、まず、シャッタユニット１００をチャージさせる（Ｓ１０３）。
【００７６】
これにより、図２に示したように、後幕ユニット２００においては、後幕駆動レバー２４０が引き上げられ、遮光羽根２１０、２１２が開放位置に上昇した状態が後幕電磁ラッチ２０１により保持される。また、先幕ユニット３００においては、先幕駆動レバー３４０が引き上げられ、遮光羽根３１０、３１２が遮蔽位置に上昇した状態が先幕電磁ラッチ３０１により保持される（Ｓ１０４）。
【００７７】
続いて、先幕電磁ラッチ３０１が解放され、遮光羽根３１０、３１２は開放位置に降下する。これにより、図３に示したように、アパーチャ１２０が開放されて、イメージセンサ５００が露光される（Ｓ１０６）。
【００７８】
更に、予め設定された露光時間をおいて、あるいは、自動露出により制御部５５０が決定した露光時間をおいて、後幕電磁ラッチ２０１が解放される。これにより、遮光羽根２１０、２１２が降下して遮蔽位置に移動する。従って、アパーチャ１２０が遮蔽される（Ｓ１０７）。こうして、イメージセンサ５００による撮像が完了して、制御部５５０は制御手順を初期化直後に戻す。
【００７９】
上記Ｓ１０１〜１０７に係る一連の動作シーケンスのうち、レリーズボタンから押されてから（Ｓ１０２：ＹＥＳ）、後幕ユニット２００がアパーチャ１２０を遮蔽するまでが、デフォルトの撮影動作となる。また、このデフォルトの動作モードにおいて、制御部５５０は、レリーズボタンの押し下げを検出して撮影動作を完了するまで実行する。従って、制御部５５０は、レリーズボタンの解放には関知しない。
【００８０】
図９は、図８に示された動作シーケンスが実行された場合のデジタルカメラ４００各部の動作を示すダイヤグラムである。デジタルカメラ４００における撮影動作において、アパーチャ１２０が開放されてイメージセンサ５００が露光される期間Ｅの長さは、先幕電磁ラッチ３０１の解放から後幕電磁ラッチ２０１の解放までのタイムラグに略等しいが、そのタイミングは僅かに遅れる。
【００８１】
メインミラー５４０は、期間Ｅの開始よりも早いタイミングで上昇し、期間Ｅの終了よりも遅いタイミングで降下する。従って、メインミラー５４０が上昇している期間Ｍは、イメージセンサ５００が露光される期間Ｅよりも長く、メインミラー５４０がイメージセンサ５００の露光を妨げることがない。
【００８２】
また、絞りユニット４４０も、期間Ｅの開始よりも早いタイミングで絞り込まれ、期間Ｅの終了よりも遅いタイミングで解放される。従って、絞りユニット４４０が絞り込まれている期間Ｉは、イメージセンサ５００が露光される期間Ｅよりも長く、イメージセンサ５００は、絞りユニット４４０が絞り込まれた状態で露光される。
【００８３】
更に、イメージセンサ５００は、期間Ｅの開始よりも早いタイミングで蓄積動作を開始し、期間Ｅの終了よりも遅いタイミングで読出し動作に移行する。従って、イメージセンサ５００が蓄積動作をする期間Ｃは、アパーチャ１２０が開放されている期間よりも長く、イメージセンサ５００は、制御部５５０の制御の下に動作するシャッタユニット１００の露光条件の下に露光されて、入射した画像を電気信号に変換する。
【００８４】
図１０は、シャッタユニット１００の他の動作シーケンスを示す流れ図である。図８に示した動作シーケンスにおいて、特定の動作モードが設定されていることが検知された場合（Ｓ１０１：ＮＯ、※１）、制御部５５０は、設定された動作モードがバルブモードか否かを検査する（Ｓ２０１）。
【００８５】
設定された動作モードがバルブモードであった場合（Ｓ２０１：ＹＥＳ）、制御部５５０は、デジタルカメラ４００のレリーズボタンがユーザに押し下げられるのを待って待機する（Ｓ２０２：ＮＯ）。レリーズボタンが押し下げられたことが検知されると（Ｓ２０２：ＹＥＳ）、制御部５５０は、バルブモードにおける撮影動作を開始する。なお、デジタルカメラ４００に設定された動作モードがバルブモードではなかった場合（Ｓ２０１：ＮＯ、※２）については、図１２を参照して後述する。
【００８６】
制御部５５０は、まず、シャッタユニット１００をチャージする（Ｓ２０３）。これにより、後幕ユニット２００においては、後幕駆動レバー２４０が引き上げられて遮光羽根２１０、２１２が開放位置に移動する。移動した後幕駆動アーム２２０は、動作した後幕電磁ラッチ２０１により保持され、遮光羽根２１０、２１２は開放位置に止まる。
【００８７】
また、先幕ユニット３００においては、先幕駆動レバー３４０が引き上げられて遮光羽根３１０、３１２が遮蔽位置へ移動する。移動した先幕駆動アーム３２０は、動作した先幕電磁ラッチ３０１により保持され、遮光羽根３１０、３１２は遮蔽位置に止まる（Ｓ２０４）。
【００８８】
続いて、制御部５５０は、メカニカルラッチ２７０を動作させて、後幕駆動アーム２２０の係止ピン２２８にメカニカルラッチ２７０を係合させる（Ｓ２０５）。これにより、後幕駆動アーム２２０は係止される。
【００８９】
次に、制御部５５０は、後幕電磁ラッチ２０１および先幕電磁ラッチ３０１の動作を停止して、後幕駆動レバー２４０および先幕駆動レバー３４０を開放する（Ｓ２０６）。これにより、先幕駆動アーム３２０は開放され、アーム駆動バネ３３０に駆動されて、遮光羽根３１０、３１２を開放位置に向かって移動させる。
【００９０】
一方、後幕駆動アーム２２０は、メカニカルラッチ２７０に係止される。従って、遮光羽根２１０、２１２は、開放位置に止まる。これにより、アパーチャ１２０が開放され、イメージセンサ５００が露光される（Ｓ２０７）。
【００９１】
制御部５５０は、アパーチャ１２０が開放された状態のまま、レリーズボタンの解放を監視する（Ｓ２０８：ＮＯ）。レリーズボタンが解放された場合（Ｓ２０８：ＹＥＳ）、制御部５５０は、メカニカルラッチ２７０から後幕駆動アーム２２０を解放させる（Ｓ２０９）。これにより、遮光羽根２１０、２１２が降下してアパーチャ１２０を遮蔽し、イメージセンサ５００は入射光に対して遮蔽される。こうして、バルブモードにおける撮影が完了する。
【００９２】
更に、制御部５５０は、バルブモードが解除されたか否かを監視する（Ｓ２１０）。バルブモードが解除されていない場合（Ｓ２１０：ＮＯ）は、レリーズボタンが再び押し込まれるのを待って待機する（Ｓ２０１）。バルブモードが解除されたことが検知された場合（Ｓ２１０：ＹＥＳ）は、図８に示した動作シーケンスの初期化後の状態に戻る（Ｓ１０１）。このように、バルブモードにおいては、制御部５５０が、レリーズボタンの押し下げと解放とを個別に検出してシャッタユニット１００の動作を制御する。
【００９３】
図１１は、図１０に示した動作シーケンスが実行された場合のデジタルカメラ４００の動作を示すダイヤグラムである。デジタルカメラ４００のバルブモードにおける撮影動作において、アパーチャ１２０が開放されてイメージセンサ５００が露光される期間Ｅの長さは、先幕電磁ラッチ３０１の解放からメカニカルラッチ２７０の解放までの期間に略等しいが、そのタイミングは僅かに遅れる。
【００９４】
メインミラー５４０は、期間Ｅの開始よりも早いタイミングで上昇し、期間Ｅの終了よりも遅いタイミングで降下することが求められる。従って、制御部５５０は、メカニカルラッチ２７０が後幕駆動アーム２２０を開放したタイミングに対して十分な間隔をとってから、メインミラー５４０を降下させる。
【００９５】
同様に、絞りユニット４４０も、期間Ｅの開始よりも早いタイミングで絞り込まれ、期間Ｅの終了よりも遅いタイミングで解放されることが求められる。従って、制御部５５０は、メカニカルラッチ２７０が後幕駆動アーム２２０を開放したタイミングに対して十分な間隔をとってから、絞りユニット４４０を解放させる。
【００９６】
更に、イメージセンサ５００も、期間Ｅの開始よりも早いタイミングで蓄積動作を開始し、期間Ｅの終了よりも遅いタイミングで読出し動作に移行することが求められる。従って、制御部５５０は、メカニカルラッチ２７０が後幕駆動アーム２２０を開放したタイミングに対して十分な間隔をとってから、イメージセンサ５００を読出し動作に切り換える。
【００９７】
一方、図１１おいて、後幕電磁ラッチ２０１の動作期間に着目すると、図９に示した後幕電磁ラッチ２０１の動作期間よりもむしろ短いことが判る。従って、露光時間が長く、後幕ユニット２００の開放時間を長く保持しなければならないバルブモードにおいても、後幕電磁ラッチ２０１による電力消費を抑制できることが判る。
【００９８】
図１２は、シャッタユニット１００の他の動作シーケンスを示す流れ図である。図８に示した動作シーケンスにおいて、特定の動作モードが設定されていることが検知された場合（Ｓ１０１：ＮＯ、※１）、制御部５５０は、設定された動作モードがライブビューモードか否かを検査する（Ｓ３０１）。
【００９９】
なお、ライブビューモードは、撮影モードではなく、撮影用イメージセンサ５００を用いて被写界の映像をリアルタイムで表示することにより、液晶ディスプレイ４９６をファインダ４９０に換えて使用する動作モードを意味する。従って、ライブビューモードにおいては、ユーザからの指示によるライブビューモードの開始から終了までシャッタユニット１００を開放し続けて、イメージセンサ５００を露光し続ける。以下の説明では、ユーザによるレリーズボタンの押し下げによりライブビューを開始して、ユーザによるレリーズボタンの再押し下げによりライブビューの終了が指示されるものとする。
【０１００】
設定された動作モードがライブビューモードであった場合（Ｓ３０１：ＹＥＳ）、制御部５５０は、デジタルカメラ４００のレリーズボタンがユーザに押し下げられるのを待って待機する（Ｓ３０２：ＮＯ）。レリーズボタンが押し下げられたことが検知されると（Ｓ３０２：ＹＥＳ）、制御部５５０は、ライブビューモードを開始する。なお、デジタルカメラ４００に設定された動作モードがバルブモードでも、ライブビューモードでもなかった場合（Ｓ３０１：ＮＯ、※３）については、図１３を参照して後述する。
【０１０１】
制御部５５０は、まず、シャッタユニット１００をチャージする（Ｓ３０３）。これにより、後幕ユニット２００においては、後幕駆動レバー２４０が引き上げられて遮光羽根２１０、２１２が開放位置に移動する。移動した後幕駆動アーム２２０は、動作した後幕電磁ラッチ２０１により保持され、遮光羽根２１０、２１２は開放位置に止まる。
【０１０２】
また、先幕ユニット３００においては、先幕駆動レバー３４０が引き上げられて遮光羽根３１０、３１２が遮蔽位置へ移動する。移動した先幕駆動アーム３２０は、動作した先幕電磁ラッチ３０１により保持され、遮光羽根３１０、３１２は遮蔽位置に止まる（Ｓ３０４）。
【０１０３】
続いて、制御部５５０は、メカニカルラッチ２７０を動作させて、後幕駆動アーム２２０の係止ピン２２８にメカニカルラッチ２７０を係合させる（Ｓ３０５）。これにより、後幕駆動アーム２２０は係止される。
【０１０４】
次に、制御部５５０は、後幕電磁ラッチ２０１および先幕電磁ラッチ３０１の動作を停止し、後幕駆動レバー２４０および先幕駆動レバー３４０を開放する（Ｓ３０６）。これにより、先幕駆動アーム３２０は開放され、アーム駆動バネ３３０に駆動されて、遮光羽根３１０、３１２を開放位置に向かって移動させる。
【０１０５】
一方、後幕駆動アーム２２０は、メカニカルラッチ２７０に係止される。従って、遮光羽根２１０、２１２は、開放位置に止まる。これにより、アパーチャ１２０が開放され、イメージセンサ５００が露光される（Ｓ３０７）。一方、後幕駆動アーム２２０はメカニカルラッチ２７０により係止されているので、後幕ユニット２００の遮光羽根２１０、２１２は開放位置に止まる。
【０１０６】
ライブビューモードにおいてイメージセンサ５００が露光されると、制御部５５０は、イメージセンサ５００が受光した映像を、液晶ディスプレイ４９６に表示させる（Ｓ３０８）。これにより、ファインダ４９０に換えて、液晶ディスプレイ４９６により被写界を観察できる。従って、ユーザは、ファインダ４９０から離れた位置においても被写界を観察することができる。
【０１０７】
なお、上記のようなライブビューモードの機能に鑑みて、シャッタユニット１００の開放に先立って、メインミラー５４０は、撮影動作の場合と同様に上昇して、イメージセンサ５００の露光を妨げない。また、絞りユニット４４０は、ライブビューモードの期間を通じて、開放を維持する。
【０１０８】
制御部５５０は、アパーチャ１２０が開放された状態のまま、レリーズボタンの再押し下げを監視する（Ｓ３０９：ＮＯ）。レリーズボタンが再度押し下げられた場合（Ｓ３０９：ＹＥＳ）、制御部５５０は、まず、液晶ディスプレイ４９６への映像の表示を停止し（Ｓ３１０）、次いで、メカニカルラッチ２７０から後幕駆動アーム２２０を解放させる（Ｓ３１１）。これにより、遮光羽根２１０、２１２は降下してアパーチャ１２０を遮蔽し、イメージセンサ５００は入射光に対して遮蔽される。こうして、ライブビューモードが完了する。
【０１０９】
ここで、制御部５５０は、レリーズボタンの再押し下げ（Ｓ３０９）を、撮影動作の開始と看做してもよい（Ｓ３１２）。撮影動作においては、メインミラー５４０をいったん下ろして、図８に示したデフォルトの撮影モードにおける撮影動作の動作シーケンスを実行してもよい。また、イメージセンサ５００を用いた合焦と測光を実行して、メインミラー５４０を下ろすことなく撮影動作を実行してもよい。
【０１１０】
更に、制御部５５０は、ライブビューモードが解除されたか否かを監視する（Ｓ３１３）。ライブビューモードが解除されていない場合（Ｓ３１３：ＮＯ）は、レリーズボタンが更に再び押し込まれるのを待って待機する（Ｓ３０２）。ライブビューモードが解除されたことが検知された場合は、図８に示した動作シーケンスの初期化後の状態に戻る（Ｓ１０１）。
【０１１１】
これら、ライブビューモードにおける一連の動作シーケンスにおいて、後幕電磁ラッチ２０１が通電されている期間は、先幕電磁ラッチ３０１が通電されている期間と同じになる。即ち、当該期間は、シャッタユニット１００がチャージされてから（Ｓ３０３）、後幕電磁ラッチ２０１による後幕駆動アーム２２０の係止が解放されるまで（Ｓ３０５）の期間に過ぎない。従って、ライブビューモードを継続することによる後幕電磁ラッチ２０１の電力消費を抑制することができる。
【０１１２】
図１３は、シャッタユニット１００のまた他の動作シーケンスを示す流れ図である。図８に示した動作シーケンスにおいて、特定の動作モードが設定されていることが検知された場合（Ｓ１０１：ＮＯ、※１）、制御部５５０は、設定された動作モードが動画撮影モードか否かも検査する（Ｓ４０１）。
【０１１３】
なお、この実施形態では、ユーザによるレリーズボタンの押し下げにより動画撮影を開始するものとする。また、押し下げられたレリーズボタンが解放された場合に、動画撮影を終了するものとする。ただし、動画撮影の開始または終了は、このような操作により指示されるとは限らず、種々の態様があり得る。
【０１１４】
設定された動作モードが動画撮影モードであった場合（Ｓ４０１：ＹＥＳ）、制御部５５０は、デジタルカメラ４００のレリーズボタンがユーザに押し下げられるのを待って待機する（Ｓ４０２：ＮＯ）。レリーズボタンが押し下げられると（Ｓ４０２：ＹＥＳ）、制御部５５０は、動画撮影を開始する。なお、デジタルカメラ４００に設定された動作モードがバルブモード、ライブビューモードおよび動画撮影モードのいずれでもなかった場合（Ｓ４０１：ＮＯ、※４）については図１４を参照して後述する。
【０１１５】
制御部５５０は、まず、シャッタユニット１００をチャージする（Ｓ４０３）。これにより、遮光羽根２１０、２１２は開放位置に移動する。後幕駆動アーム２２０は後幕電磁ラッチ２０１により保持され、遮光羽根２１０、２１２は開放位置に止まる。
【０１１６】
また、遮光羽根３１０、３１２は遮蔽位置へ移動する。先幕駆動アーム３２０は、先幕電磁ラッチ３０１により保持され、遮光羽根３１０、３１２は遮蔽位置に止まる（Ｓ４０４）。
【０１１７】
続いて、制御部５５０は、メカニカルラッチ２７０を係止ピン２２８に係合させる（Ｓ４０５）。これにより、後幕駆動アーム２２０は係止される。
【０１１８】
次に、制御部５５０は、後幕電磁ラッチ２０１および先幕電磁ラッチ３０１の動作を停止して、後幕駆動レバー２４０および先幕駆動レバー３４０を開放する（Ｓ４０６）。これにより、先幕駆動アーム３２０は、遮光羽根３１０、３１２を開放位置に移動させる。
【０１１９】
一方、後幕駆動アーム２２０は、メカニカルラッチ２７０に係止される。従って、遮光羽根２１０、２１２は、開放位置に止まる。こうして、イメージセンサ５００が露光される（Ｓ４０７）。そこで、制御部５５０は、イメージセンサ５００を用いた動画の撮影を開始する（Ｓ４０８）。また、制御部５５０は、レリーズボタンの解放を監視する（Ｓ４０９：ＮＯ）上記動画撮影の開始に先立って、メインミラー５４０は、イメージセンサ５００の露光を妨げない位置に退避する。
【０１２０】
レリーズボタンの解放が検知された場合（Ｓ４０９：ＹＥＳ）、制御部５５０は、まず、動画撮影を停止して、メカニカルラッチ２７０から後幕駆動アーム２２０を解放させる（Ｓ４１０）。また、制御部５５０は、動画撮影モードが解除されたか否かを監視する（Ｓ４１１）。動画撮影モードが解除されていない場合（Ｓ４１１：ＮＯ）は、レリーズボタンが再び押し込まれるのを待って待機する（Ｓ４０２）。動画撮影モードが解除されたことが検知された場合は、図８に示した動作シーケンスの初期化後の状態に戻る（Ｓ１０１）。
【０１２１】
これら、動画撮影モードにおける一連の動作シーケンスにおいて、後幕電磁ラッチ２０１が通電されている期間は、先幕電磁ラッチ３０１が通電されている期間と同じであって、シャッタユニット１００がチャージされてから（Ｓ４０３）、後幕電磁ラッチ２０１による後幕駆動アーム２２０の係止が解放されるまで（Ｓ４０５）の期間に過ぎない。従って、動画撮影モードを継続することによる後幕電磁ラッチ２０１の電力消費を抑制することができる。
【０１２２】
なお、上記の如く、動画撮影モードにおける動作シーケンスは、ライブビューモードにおける動作シーケンスによく似ている。従って、重複する制御手順を共用することにより、制御部５５０の資源を節約することができる。
【０１２３】
図１４は、シャッタユニット１００の更に他の動作シーケンスを示す流れ図である。図８に示した動作シーケンスにおいて、特定の動作モードが設定されていることが検知された場合（Ｓ１０１：ＮＯ、※１）、制御部５５０は、設定された動作モードがクリーニングモードか否かを検査する（Ｓ５０１）。
【０１２４】
なお、クリーニングモードは、撮影モードではなく、イメージセンサ５００の表面を清掃する場合に、メインミラー５４０およびシャッタユニット１００を解放した状態にしてイメージセンサ５００の表面を露出させる動作モードを意味する。イメージセンサ５００の清掃はユーザの手により行われ、制御部５５０は関与しない。
【０１２５】
従って、クリーニングモードは、当該動作モードの設定と共にイメージセンサ５００を露出させる。また、クリーニング作業が終わった場合は、例えば、デジタルカメラ４００の電源スイッチを操作してデジタルカメラ４００を再初期化することにより当該動作モードから抜けることができる。
【０１２６】
設定された動作モードがクリーニングモードであった場合（Ｓ５０１）、制御部５５０は、レンズユニット４１０が取り外されているか否かを調べる（Ｓ５０２）。レンズユニット４１０がカメラボディ４６０に装着されたままになっている場合は、レンズユニット４１０を取り外すべき旨を警告して、レンズユニット４１０の取り外しを監視する（Ｓ５０２：ＮＯ）。警告は、液晶ディスプレイ４９６への表示の他、警告音、警告ランプ等を併用してもよい。
【０１２７】
レンズユニット４１０が取り外されている場合（Ｓ５０２：ＹＥＳ）、制御部５５０は、シャッタユニット１００をチャージする（Ｓ５０３）。これにより、後幕ユニット２００においては、後幕駆動レバー２４０が引き上げられて遮光羽根２１０、２１２が開放位置に移動する。移動した後幕駆動アーム２２０は、後幕電磁ラッチ２０１により保持され、遮光羽根２１０、２１２は開放位置に止まる（Ｓ５０４）。
【０１２８】
また、先幕ユニット３００においては、先幕駆動レバー３４０が引き上げられて遮光羽根３１０、３１２が遮蔽位置へ移動する。移動した先幕駆動アーム３２０は、先幕電磁ラッチ３０１により保持され、遮光羽根３１０、３１２は遮蔽位置に止まる（Ｓ５０４）。
【０１２９】
続いて、制御部５５０は、メカニカルラッチ２７０を動作させて、後幕駆動アーム２２０の係止ピン２２８にメカニカルラッチ２７０を係合させる（Ｓ５０５）。これにより、後幕駆動アーム２２０は係止される。
【０１３０】
次に、制御部５５０は、後幕電磁ラッチ２０１および先幕電磁ラッチ３０１の動作を停止し、後幕駆動レバー２４０および先幕駆動レバー３４０を開放する（Ｓ５０６）。これにより、先幕駆動アーム３２０は開放され、アーム駆動バネ３３０に駆動されて、遮光羽根３１０、３１２を開放位置に向かって移動させる。
【０１３１】
一方、後幕駆動アーム２２０は、メカニカルラッチ２７０に係止される。従って、遮光羽根２１０、２１２は、開放位置に止まる。これにより、アパーチャ１２０が開放され、イメージセンサ５００が露出する（Ｓ５０７）。従って、ユーザは、カメラボディ４６０の開口部からイメージセンサ５００に清掃具を挿入して清掃できる。
【０１３２】
イメージセンサ５００の清掃が完了した場合は、例えば、デジタルカメラ４００の電源スイッチを切ることにより、制御部５５０にクリーニングモードの終了を通知する（Ｓ５０８）。そこで、制御部５５０は、メカニカルラッチ２７０から後幕駆動アーム２２０を解放させる（Ｓ５０９）。更に、制御部５５０は、デジタルカメラ４００の動作を終了させる。
【０１３３】
これら、クリーニングモードにおける一連の動作シーケンスにおいて、後幕電磁ラッチ２０１が通電されている期間は、先幕電磁ラッチ３０１が通電されている期間と同じになる。また、当該期間は、シャッタユニット１００がチャージされてから（Ｓ５０３）、後幕電磁ラッチ２０１による後幕駆動アーム２２０の係止が解放されるまで（Ｓ５０５）の期間に過ぎない。従って、クリーニングモードを継続することによる後幕電磁ラッチ２０１の電力消費を抑制することができる。また、電磁ラッチを用いる既存のシャッタ装置に対する変更箇所が少ないので、既存の撮像装置に組み込むことが容易である。
【０１３４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１３５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１３６】
１００  シャッタユニット、１１０  シャッタ基板、１２０  アパーチャ、１３０  駆動部基板、２００  後幕ユニット、２０１  後幕電磁ラッチ、２１０、２１２、３１０、３１２  遮光羽根、２２０  後幕駆動アーム、２２２  連結穴、２２４、２４２  軸穴、２２６、２４１、２５１  バネ受け、２２８  係止ピン、２３０、３３０  アーム駆動バネ、２３２  コイル部、２３４、２６２  駆動端、２３６、２６４  固定端、２４０  後幕駆動レバー、２４４、３４４  吸着部、２４６  レバー本体、２４８  係合板、２５０、３５０  段付きボルト、２５２  フランジ部、２５４  大径軸部、２５６  小径軸部、２５８  ネジ部、２６０  レバー駆動バネ、２７０  メカニカルラッチ、２７１  嵌合部、２７２  ラッチ軸、２７４  ストッパ、２７６  作動レバー、２７８  先端部、３００  先幕ユニット、３０１  先幕電磁ラッチ、３２０  先幕駆動アーム、３４０  先幕駆動レバー、４００  デジタルカメラ、４１０  レンズユニット、４２０  光学部材、４２２  フロントレンズ、４２４  コンペンセータレンズ、４２６  フォーカシングレンズ、４２８  メインレンズ、４３０  鏡筒、４４０  絞りユニット、４５０  レンズマウント、４６０  カメラボディ、４７０  ペンタプリズム、４７２  フォーカシングスクリーン、４８０  測光ユニット、４９０  ファインダ、４９２  ハーフミラー、４９４  ファインダ液晶、４９６  液晶ディスプレイ、５００  イメージセンサ、５１０  ローパスフィルタ、５３０  測距ユニット、５４０  メインミラー、５４２  サブミラー、５５０  制御部
【図１】
2010197866.tif 000003
【図２】
2010197866.tif 000004
【図３】
2010197866.tif 000005
【図４】
2010197866.tif 000006
【図５】
2010197866.tif 000007
【図６】
2010197866.tif 000008
【図７】
2010197866.tif 000009
【図８】
2010197866.tif 000010
【図９】
2010197866.tif 000011
【図１０】
2010197866.tif 000012
【図１１】
2010197866.tif 000013
【図１２】
2010197866.tif 000014
【図１３】
2010197866.tif 000015
【図１４】
2010197866.tif 000016